(57)【要約】【目的】従来の大きな床下収納庫は、台所等の床下の一つの束の周囲を回転するように、床蓋の開口部を通過し得る車輪付の小さい収納容器を複数個連結させているが、狭い床下内にて組立てなければならない上、床下にて車輪用の輪状レールの設営も容易ではない。また、大きな物品や長尺物の収納に中心にある束が邪魔になり、これらを解消したい。【構成】家屋等の建築の際に、床下に配置されるべき複数の束１の内で、一つを省略した地面上の位置に回転軸部材２を設置する穴１３を設ける。少なくともその穴１３からそれぞれ隣の束１までの周辺を表面が平滑で適度な厚さと硬さのある水平硬化面３とし、回転軸部材２の上端部に、これを中心として回転自在とする少なくとも平板状の台車５を形成させたことを特徴とした床下収納庫の構造とその家屋等の建築方法がこの発明の基本である。【選択図】    図１
2005105787.tif 000002
【特許請求の範囲】
【請求項１】
家屋等の建築において、床下に配置される複数の束（１）の内、一つを省略した地面上の位置を回転軸部材（２）の設置位置とし、少なくとも該設置位置からそれぞれ隣の束（１）までの周辺を、表面が平滑で適度な厚さのある水平硬化面（３）と成し、上記回転軸部材（２）の設置位置に設ける回転軸部材（２）の上端部には、該回転軸部材（２）を中心として回転自在とした少なくとも平板状の台車（５）を形成させたことを特徴とする床下収納庫の構造。
【請求項２】
回転軸部材（２）の上端に、該回転軸部材（２）を中心として水平方向へ放射状に伸びる複数本の水平支持材（６）を固着させ、その上に収納物載置板（７）を張り、その下方周辺部には等間隔に車輪（４）を有した全体として平板状の台車（５）を形成させた請求項１記載の床下収納庫の構造。
【請求項３】
回転軸部材（２）を、上端に水平支持材（６）を固着させた断面Ｔ字状のフランジ状体（８）とし、水平硬化面（３）に植設したパイプ（９）内に回転自在に立設するものとした請求項１又は請求項２記載の床下収納庫の構造。
【請求項４】
回転軸部材（２）を、水平硬化面（３）に植設した直立軸（１０）上に、球体（１１）を介して平板状の台車（５）を形成させたものとした請求項１又は請求項２記載の床下収納庫の構造。
【請求項５】
回転軸部材（２）を、スラスト形ボールベアーリング（１２）とし、その上面に平板状の台車（５）を形成させたものとした請求項１又は請求項２記載の床下収納庫の構造。
【請求項６】
水平硬化面（３）を、コンクリート張りとした請求項１乃至請求項５のいずれかに記載の床下収納庫の構造。
【請求項７】
家屋等の建築時に、通常は床下に配置される複数の束（１）の内一つを省略して、その地面上の位置を回転軸部材（２）の設置位置とし、少なくとも該設置位置からそれぞれ隣の束（１）までの周辺は表面が平滑で適度な厚さのある水平硬化面（３）を形成させ、かつ、上記回転軸部材（２）の設置位置には予め回転軸部材（２）設置のための穴（１３）を設けておき、その中に上記回転軸部材（２）を立設させ、該回転軸部材（２）の上端部には、該回転軸部材（２）を中心として回転し得て、下方の周辺部には等間隔に車輪（４）を有するか又は有しない少なくとも平板状の台車（５）を装着させた後に、大引（１４）、根太（１５）、床材（１６）の順で工事をすることを特徴とする床下収納庫を有する家屋等の建築方法。
【請求項８】
水平硬化面（３）を、コンクリート張りとした請求項７記載の床下収納庫を有する家屋等の建築方法。
【発明の詳細な説明】
【技術分野】
【０００１】  この発明は、床下空間を利用した床下収納庫の構造と、その床下収納庫を有する家屋等の建築方法に関するものである。
【背景技術】
【０００２】  最近の家屋等においては、地下室までとは言えずとも小規模な建築物である一般住宅において、床下に収納庫を設置する例が多く見受けられるようになってきた。
その場合、その設置場所として収納物の多様性と出し入れの頻度の多さから台所の床下が利用されていることが多い。
そして、当然ながら床板等床張りの一部分を開閉可能な床蓋として、その下方に適当な大きさの収納庫を設けているのである。【０００３】  これら収納庫の形態には様々なものがある。最も多いのは開閉する床蓋の直下に、床蓋の大きさ程度の収納庫を形成させたものである。
ところが、より一層の床下利用の拡大希望から、床蓋の大きさよりも遥かに大きいスペースを有する収納庫の設置を要望されるようになってきた。【０００４】  しかし床下利用には制限がある。すなわち、床蓋をやたらに大きくできないから、当然そこから床下内に手を差し入れて届く範囲内が収納庫の大きさの最大となっていた。
ところが、それには飽き足らずもっとっと大きな収納庫の出現が要望されていた。そのためには、手の届かぬ所にも収納ができるように、すなわち収納庫の収納部分を床下内において簡単に床蓋のある所まで移動できるようにする必要がある。【０００５】  それでも広さに制限がある。それは、床下には地面と床材との空間には家屋等を下から支えている多数の束があり、この束の存在が床下利用の拡大を邪魔しているのである。
そこで、一つの束の周りに小型の収納容器を円形状に連結させて大収納部を形成させ、一つの束を中心として、手で回転させる発明の名称「回転式収納保管庫」としたものがある（例えば、特許文献１参照。）。【０００６】  これは、床蓋から出し入れのできる大きさの扇面形又は台形の箱の底に車輪を付けて、その箱を一つの束の周りに床下にて連結させ、平面視円形に組立てたものである。
車輪の接する地面は、コンクリート等で平滑にして手で回しやすいように軌道等を設けたものとしているのである。【０００７】  また、上記の特許文献１では収納箱の高さが高くて、床下における連結する際の組立て作業が極めて難しい、箱の取り出しや掃除ができない、車輪が箱の底のみだからスムーズに回転しない等の欠点があるとして、車輪を台車の内側と外側に設け、この台車に箱に相当する収納容器を着脱自在に載設するように改良した発明の名称「床下収納庫の構造」がある（例えば、特許文献２参照。）。【０００８】  更には、収納庫が一つの束の周りを循環することは同じだが、台車上の４つの小収納部が互いに連通して平面視十字状をした大きな収納部を構成する仕切部材を着脱することにより長い収納物、中程度に長い収納物、小さな収納物の形態に応じて選択できるよう仕切り自在とした発明の名称「床下収納庫の構造」がある（例えば、特許文献３参照。）。【０００９】  加えて、より束の周りをスムーズに循環して回転できるように、束の周囲にも環状のガイド壁を設け、台車装置の内側に設けた水平輪をこのガイド壁に沿って転動させる発明の名称「床下収納庫の構造」がある（例えば、特許文献４参照。）。【００１０】  しかしながら、上記いずれの例も小さい収納容器が互いに連結して全体として収納庫を形成し、一つの束の周りを循環するように構成したものである。
【特許文献１】  特開平９−１３６５０号（
【０００３】〜【０００６】）
【特許文献２】  特開２０００−１７９１４２号（
【０００４】〜【０００６】）
【特許文献３】  特開２０００−１７９１４３号（
【０００３】〜【０００６】）
【特許文献４】  特開２０００−１７９１４４号（
【０００３】〜【０００６】）
【発明の開示】
【発明が解決しようとする課題】
【００１１】  上述の床下収納庫は、いずれも建築後の家屋等の床下、すなわち、既設の台所等に、新たに開口部とその床蓋を形成させ、その近くの束の周囲に設置するものであるから、一つ一つが自ずから開口部を通過し得る大きさの小さい収納容器でなければ床下収納庫を設置形成することができないのである。
当然、既設の床下内において、幾つかの収納容器を一つの束の周囲に配置連結するよう組み立てなければならないから床下での狭い組立作業は容易なことではない。【００１２】  また、床下収納庫を人力でスムーズに束周りを循環させるために、床下地面上に水平で平滑なコンクリートを打ち、加えて車輪を載せるための輪状レール等を設けることは、すでに建築済みの家屋においては大変に面倒なことであると言わざるをえないのである。
また、連結した収納容器の仕切りを外して大きな物品や長尺物を収納しようとしても、中心にある束がどうしても邪魔になってしまう。【００１３】  このように、従来の各例では回転する床下収納庫の中心に束が存在しているから、どうしても収納容器の実質上の大きさや形状に制限が生ずることになるし、加えて床下での組立てが何としても面倒である。
この発明は、これらの諸欠点を解消すべくなされたものである。
【課題を解決するための手段】
【００１４】  先ずこの発明の構成について図面に基づき説明する。
家屋等の建築において、図１及び図２に示す如く床下に配置されるべき複数の束１の内で、一つを省略した地面上の位置に回転軸部材２を設置する。
更に、少なくともその設置位置からそれぞれ隣の束１までの周辺を、表面が平滑で適度な厚さと硬さのある水平硬化面３とする。
そして、この回転軸部材２の上端部には、回転軸部材２を中心として回転自在とする少なくとも平板状の台車５を形成させたことを特徴とした床下収納庫の構造がこの発明の基本である。【００１５】  図２に示したように、回転軸部材２の上端には、この回転軸部材２を中心として水平方向へ放射状に伸びる複数本の水平支持材６を固着させて、その上に収納物載置板７を張って、図１に示したように水平支持材６の下方周辺部には等間隔に車輪４を有した全体として平板状の台車５を形成させたものとする。
なお、図２では収納物載置板７を取り除いた状態で示している。【００１６】  そして、回転軸部材２を、図４に示したように上端に水平支持材６を固着させた断面Ｔ字状のフランジ状体８としたものとし、水平硬化面３に植設したパイプ９内に回転自在に立設させたものとする。
図４では台車５の周辺部にある図示されない車輪４の方が背高いので、Ｔ字状のフランジ状体８のフランジ部下面とパイプ９の上端部は離れたものとして描いてある。【００１７】  他の手段として、図５に示すように回転軸部材２を、水平硬化面３に植設した直立軸１０上に、球体１１を介在させて、その上に板状の台車５を形成させたものとするもよい。
更に他の手段として図６に示すように、回転軸部材２を、スラスト形ボールベアーリング１２とし、その上面に平板状の台車５を形成させたものとするもよい。
また、水平硬化面３としては、コンクリート張りとするのが一般的であろう。【００１８】  次に、この発明の工事方法について説明する。
家屋等の建築時に、通常は床下に配置される複数の束１の内一つを省略する。そして、その省略した束１地面上の位置を回転軸部材２の設置位置とし、少なくともこの設置位置からそれぞれ隣の束１までの周辺には、表面が平滑で適度な厚さと硬さのある水平硬化面３を形成させる。しかも、省略した束１の位置である回転軸部材２の設置位置には、予め回転軸部材２設置のための穴１３を設けておくのである。【００１９】  そして、その穴１３の中に回転軸部材２を立設させ、その回転軸部材２の上端部に、回転軸部材２を中心として回転し得て、少なくとも下面周辺部に等間隔に車輪４を有した平板状の台車５を装着させるのである。
台車５の装着が終ってその後に、大引１４、根太１５、床材１６の順で工事をすることを特徴とする床下収納庫を有する家屋等の建築方法である。【００２０】  なお、水平硬化面３を、コンクリート張りとするのが一般的であろうし、この発明の構成で説明した回転軸部材２の種類や形式によって穴１３に深さや大きさが異なることは言うまでもなかろう。その時は、コンクリート張り工事の時に穴１３の直径に応じた空き瓶等を予め置いてから工事をすればよいのである。
また、束１の一つを省略したことによって床面等の強度に問題を生ずるようなら、そこの部分の大引１４には太いものを採用するなりの配慮をすればよい。
【発明の効果】
【００２１】  この発明は、家屋等の建築の際に、その基礎工事が終る段階で、数ある束１の中で一般的には台所に相当する場所の一部の束１を省略し、そこを中心として前後左右の束１との間を収納庫のスペースとして採用でき、しかも、従来のように収納スペースの真ん中に束１が存在しないから、その分も広くなり約１坪の広さの収納部ができることになる。
また、真ん中に束１がないということは、邪魔の部分が無くなって長尺物の収納が容易になることを意味する。
更には、大きな平板状の広い台車５として形作れるから、その重心も簡単に求めることができるようになり、製作上回転バランスが取れやすくなるので、ス厶ーズに手で容易に回転させることができるようになった。【００２２】  何としてもこの発明の有利なことは、土台と基礎だけの何もない状態で平板状の台車５を装着できることである。
したがって、従来例のように床下で小さな収納容器を組合す必要がないから、収納物載置板７と共に台車５自体の製造が容易であり、仕切り板のみを工夫すればよいのである。
勿論、車輪４用の軌道を設けるならば、水平硬化面３を施工中に穴１３を設けると同時に軌道を固定させればよく、床がない時だからその位置の設定と共に至極容易である。
特に最近の新築家屋は、白蟻の被害防止も含めて床下の湿気防止のために、床下全面をコンクリートで張り詰めるようになってきたので、是非この発明の施行を採用すべきであると考えている。【００２３】  回転軸部材２については、多少高価となろうが図６に示すようなスラスト形ボールベアーリング１２を採用すれば軽く回すことができる。しかも、収納物の総重量がさして重くならないようならば、大き目のスラスト形ボールベアーリング１２を採用すれば車輪４を省略することも可能である。
いずれにしても、回転軸部材２の選定は予定される収納物の総重量によってその種類を選定すればよいのである。
【発明を実施するための最良の形態】
【００２４】  この発明の設置位置は台所に限定するものではなく、何処でも必要な場所に設置すればよいのであるが、一般的には台所の一隅が多いようである。
したがって、台所に因んだ物品を収納するものと考えると床下の高さからして自ずから大した重量にはならないと思われる。【００２５】  それ故、最も好ましい形態としては、安価で作りやすいものということになるので、水平硬化面３はコンクリートのこて仕上げとし、水平支持材６には長尺鋼材の一端を回転軸部材２から放射状に均等角度で配置して、その一端を回転軸部材２の上端に溶接するのが固着手段として最もよいと思われる。
この場合、図４乃至図６に示したように、水平支持材６を或る長さ部分に渡って溶着して固着させやすいように平板部材１７を有したものとする。【００２６】  水平支持材６上に張り巡らす収納物載置板７はベニヤ板で十分であるが、拭き掃除がしやすく汚れ難いようにベニヤ板上に例えばビニールタイル等滑らかなものを貼ればよい。
また、水平支持材６である夫々の長尺鋼材の放射端の振れを防止するために、輪状にした鉄棒かステンレスパイプを溶接しておくのが好ましい。【００２７】  更に、収納物載置板７の上方適当な高さを、囲い板１８としてベニヤ板等を張り巡らすために幾本かの支柱１９を立設し、その支柱１９の上端には把手２０を有したものとすれば、これら全体で形成される台車５を容易に片手でこの把手２０を握って回転させることができるようになる。そして、これら支柱１９や把手２０も鉄棒か好ましくは錆び難いステンレスパイプを採用するのが好ましい。【００２８】  この発明の主要部である回転軸部材２は、収納物の重量によってその形式を選定すればよいのであって、軽いものなら安価にできるものとなるだろうし、どれが最良であるかは一概には言えない。強いて挙げるならば、台車５の回転によって水平硬化面３に設けた穴１３が摩滅して回転軸部材２がぐら付かないように、回転軸部材２の回転軸等が直接には穴１３の内面に接触する構成になってさえいなければよいのである。
なお、収納物載置板７上に設ける仕切り板は、収納庫を扱う人の希望でどのように区切っても構わないことは言うまでもなかろう。【００２９】  また、前述したように、収納物が軽量ならば必ずしも車輪４を必要とはしないが、一般的には重量物も扱うだろうし、収納物載置板７の上には偏った位置に重量物を置く場合も多いだろうから、台車５の下面周辺部には車輪４を設けた方が好ましい。
車輪４は、市販のキャスターでよく、当然、台車５の下面周辺部に等間隔に設けるが、車輪４の向きが固定されるものよりも回転自在なものの方がよいと思われる。
勿論、重量物を置く場合には、車輪４用の軌道を水平硬化面３に設置すればよい。
【実施例１】
【００３０】  図１と図２は、この発明の実施例で、束１と束１との間１．８ｍ間に、直径１．５５ｍの台車５が設置できるような広さで厚さ５ｃｍの水平硬化面３をコンクリート面とした。
そして、回転軸部材２として直径４ｃｍの直立軸１０を挿入できる深さの穴１３を設けるところだけは７ｃｍ厚とした。
図２では、水平硬化面３と収納物載置板７の図示を省略したが、８角形の平板部材１７の中心に直立軸１０を挿通すると共に、断面がＬ形又はＨ形、或は口形の鉄材である８本の水平支持材６を、直立軸１０から放射状に配して一緒に溶接したものである。【００３１】  この場合において、コンクリート面の穴１３と回転する直立軸１０が直接接するから穴１３が摩滅して大きくなりやすい欠点があるので、直立軸１０と穴１３とは密接固定させておいて、直立軸１０が溶接させた平板部材１７と水平支持材６との間で回転するように構成させた方が好ましいといえる。【００３２】  更に、水平支持材６の放射端には、図１にも示したように高さ４５ｃｍの支柱１９を立設させ、その上端には輪状の把手２０を溶接で固着させた。
全部の水平支持材６の下側には、車輪４として高さ５ｃｍの首振り自在の市販のキャスターを固定した。勿論、１本おきの水平支持材６に設けたものとしてもよいだろう。
なお、囲い板１８として高さ４０ｃｍのベニヤ板を廻らした。また、収納物載置板７にもベニヤ板を用い、その上にビニールタイルを貼った。
【実施例２】
【００３３】  実施例２として、図４のように水平硬化面３にはパイプ９を植立させ、それに平板部材１７でもある断面Ｔ字状のフランジ状体８を挿通させたものである。このようにすれば、上述したものよりも回転による接触部分の摩滅は減少するものと思われる。
図３は、フランジ状体８の広面に、断面がＬ形の鋼材の水平支持材６の平面部を当てて溶接しようとするものである。
２１は、例えば直立軸１０に溶接がしやすいように、水平支持材６の端部に有した小さな方形の鉄板である。
【実施例３】
【００３４】  更に、図５のように、球体１１を直立軸１０と平板部材１７との間に介在させればより回転性が向上する。ただし、水平支持材６が上下に傾くから、車輪４が必ず必要である。
なお、球体１１の材質は上下の受け部材と共に鋼材であることが一般的である。
【実施例４】
【００３５】  図６に示したものは、スラスト形ボールベアーリング１２を用いたもので、より回転性を向上させ得て、しかも水平支持材６の傾きを防止しやすい方法である。勿論、防塵製のタイプの採用が好ましく、油差し作業等の保守が不要に近くなる利便性があって最良の手段であると言える。【００３６】  図１の２２は、幅が６０ｃｍ程の床蓋であり、当然、台車５の中心上に設けられるし、その形状や形式は如何様であっても構わない。
また、囲い板１８の高さと共に、図示省略したが風通しをよくするために囲い板１８のいずれかの箇所に網目部を設けるなり、収納物載置板７に着脱自在とする仕切り板を設ける等は自由であり、これらの有無でこの発明が限定されるものではない。
【産業上の利用可能性】
【００３７】  この発明は、床下の利用と家屋等の建築途中との関連性に特別関係のあることなので、例えば他の産業上の利用の可能性について簡単に思い付くようなことはない。
【図面の簡単な説明】
【００３８】
【図１】この発明の実施例で、一部を断面で示した側面図である。
【図２】この発明の図１の実施例で、収納物載置板を除いて示した平面図である。
【図３】この発明の実施例で、回転軸部材としてフランジ状体、水平支持材としてＬ形鋼材を採用する場合を示した斜視図である。
【図４】この発明の回転軸部材の他の実施例で、要部を断面とした側面図である。
【図５】この発明の回転軸部材として、球を介在させた実施例で、要部を断面とした側面図である。
【図６】この発明の回転軸部材として、スラスト形ボールベアーリングを介在させた実施例で、要部を断面とした側面図である。
【符号の説明】
【００３８】  １  束
２  回転軸部材
３  水平硬化面
４  車輪
５  台車
６  水平支持材
７  収納物載置板
８  フランジ状体
９  パイプ
１０  直立軸
１１  球体
１２  スラスト形ボールベアーリング
１３  穴
１４  大引
１５  根太
１６  床材
【図１】
2005105787.tif 000003
【図２】
2005105787.tif 000004
【図３】
2005105787.tif 000005
【図４】
2005105787.tif 000006
【図５】
2005105787.tif 000007
【図６】
2005105787.tif 000008